(57)【要約】【課題】ハードウェア資源を有効的に利用して機能性および利便性を向上させることのできる画像処理システムを提供する。【解決手段】装置自身に関する情報を表示する第１の情報表示手段（第１の操作パネル１００）を備える第１の画像処理装置（プリンタ装置ＰＲ１）と、装置自身に関する情報を表示する第２の情報表示手段（第２の操作パネル２００）を備え、通信手段を介して第１の画像処理装置と接続される第２の画像処理装置と、第１の表示手段および第２の表示手段の表示機能に関する情報を取得する取得手段（取得部２０１）と、取得結果に応じて第１の表示手段および第２の表示手段に表示する内容の分担を設定する表示内容設定手段と、設定された分担する表示内容に基づいて、第１の表示手段および第２の表示手段の表示を制御する制御手段（制御部２０４）とを少なくとも備える。【選択図】図２
2010199807.tif 000002
【特許請求の範囲】
【請求項１】
装置自身に関する情報を表示する第１の情報表示手段を備える少なくとも一つの第１の画像処理装置と、
装置自身に関する情報を表示する第２の情報表示手段を備え、通信手段を介して前記第１の画像処理装置と接続される少なくとも一つの第２の画像処理装置と、
前記第１の表示手段および前記第２の表示手段の表示機能に関する情報を取得する取得手段と、
該取得手段による取得結果に応じて前記第１の表示手段および前記第２の表示手段に表示する内容の分担を設定する表示内容設定手段と、
該表示内容設定手段で設定された分担する表示内容に基づいて、前記第１の表示手段および前記第２の表示手段の表示を制御する制御手段と、
を少なくとも備えることを特徴とする画像処理システム。
【請求項２】
前記第１の表示手段および前記第２の表示手段は、表示機能と共に各装置が有する機能を操作する操作機能を備える操作パネルで構成されることを特徴とする請求項１に記載の画像処理システム。
【請求項３】
前記表示機能に関する情報は、前記操作パネルの表示領域の面積、画素密度、表示色数、解像度に関する情報の少なくとも一つを含むことを特徴とする請求項１または請求項２の何れかに記載の画像処理システム。
【請求項４】
前記表示機能に関する情報は、装置識別情報、イメージグラフィック情報、表示文字コード情報の少なくとも一つを含むことを特徴とする請求項１または請求項２の何れかに記載の画像処理システム。
【請求項５】
前記表示内容設定手段で設定されて分担する表示内容は、前記第１の表示手段または前記第２の表示手段において表示すべき内容の一部を補完する表示内容であることを特徴とする請求項１から請求項４の何れかに記載の画像処理システム。
【請求項６】
前記表示内容設定手段で設定されて分担する表示内容は、前記第１の表示手段または前記第２の表示手段において表示すべき内容の全部または一部を代替する表示内容であることを特徴とする請求項１から請求項４の何れかに記載の画像処理システム。
【請求項７】
前記表示内容設定手段で設定されて分担する表示内容は、前記第１の表示手段または前記第２の表示手段において表示すべき内容の全部または一部を簡略化した表示内容であることを特徴とする請求項１から請求項４の何れかに記載の画像処理システム。
【請求項８】
前記分担する表示内容に関する情報は、前記第１の画像処理装置または前記第２の画像処理装置が備える格納手段に格納されることを特徴とする請求項１から請求項７の何れかに記載の画像処理システム。
【請求項９】
前記分担する表示内容に関する情報は、前記通信手段を介して接続される外部記憶装置に格納されることを特徴とする請求項１から請求項７の何れかに記載の画像処理システム。
【請求項１０】
前記第１の画像処理装置はプリンタ装置で構成され、前記第２の画像処理装置はスキャナ装置で構成されることを特徴とする請求項１から請求項９の何れかに記載の画像処理システム。
【請求項１１】
第１の表示手段および第２の表示手段の表示機能に関する情報を取得する取得処理過程と、
該取得処理過程による取得結果に応じて前記第１の表示手段および前記第２の表示手段に表示する内容の分担を設定する表示内容設定処理過程と、
該表示内容設定処理過程で設定された分担する表示内容に基づいて、前記第１の表示手段および前記第２の表示手段の表示を制御する制御処理過程と、
を演算手段に実行させることを特徴とする表示制御プログラム。
【発明の詳細な説明】
【技術分野】
【０００１】
本発明は、画像処理システムおよび表示制御プログラムに関するものである。
【背景技術】
【０００２】
最近、スキャナにプリンタを直接接続あるいはネットワーク接続し、スキャナで読み取った画像をコピージョブとしてプリンタに送信することで、パーソナルコンピュータを介さずにコピー機能を実現する画像処理システムが提案されている。
【０００３】
このようなシステムにおいては、スキャナに接続されるプリンタの機種は一定ではなく、その機能については種々のものが接続され得る。
【０００４】
上述のような画像処理技術に関する先行技術としては、特開２００２−３３１７２４号公報などがある。
【０００５】
特開２００２−２２１７２４号公報には、装置に対して外部機器を接続したとき、拡張によって使用されなくなった表示パネルを利用し、主パネルとは別の情報を表示することで利用者により多くの情報を与える機能拡張型システムが開示されている。
【特許文献１】特開２００２−３３１７２４号公報
【発明の開示】
【発明が解決しようとする課題】
【０００６】
本発明は、ハードウェア資源を有効的に利用して機能性および利便性を向上させることのできる画像処理システムおよび表示制御プログラムを提供することを目的とする。
【課題を解決するための手段】
【０００７】
前記課題を解決するため、請求項１の発明に係る画像処理システムは、装置自身に関する情報を表示する第１の情報表示手段を備える少なくとも一つの第１の画像処理装置と、装置自身に関する情報を表示する第２の情報表示手段を備え、通信手段を介して前記第１の画像処理装置と接続される少なくとも一つの第２の画像処理装置と、前記第１の表示手段および前記第２の表示手段の表示機能に関する情報を取得する取得手段と、該取得手段による取得結果に応じて前記第１の表示手段および前記第２の表示手段に表示する内容の分担を設定する表示内容設定手段と、該表示内容設定手段で設定された分担する表示内容に基づいて、前記第１の表示手段および前記第２の表示手段の表示を制御する制御手段とを少なくとも備えることを特徴とする。
【０００８】
請求項２の発明に係る画像処理システムは、請求項１に記載の発明について、前記第１の表示手段および前記第２の表示手段は、表示機能と共に各装置が有する機能を操作する操作機能を備える操作パネルで構成されることを特徴とする。
【０００９】
請求項３の発明に係る画像処理システムは、請求項１または請求項２の何れかに記載の発明について、前記表示機能に関する情報は、前記操作パネルの表示領域の面積、画素密度、表示色数、解像度に関する情報の少なくとも一つを含むことを特徴とする。
【００１０】
請求項４の発明に係る画像処理システムは、請求項１または請求項２の何れかに記載の発明について、前記表示機能に関する情報は、装置識別情報、イメージグラフィック情報、表示文字コード情報の少なくとも一つを含むことを特徴とする。
【００１１】
請求項５の発明に係る画像処理システムは、請求項１から請求項４の何れかに記載の発明について、前記表示内容設定手段で設定されて分担する表示内容は、前記第１の表示手段または前記第２の表示手段において表示すべき内容の一部を補完する表示内容であることを特徴とする。
【００１２】
請求項６の発明に係る画像処理システムは、請求項１から請求項４の何れかに記載の発明について、前記表示内容設定手段で設定されて分担する表示内容は、前記第１の表示手段または前記第２の表示手段において表示すべき内容の全部または一部を代替する表示内容であることを特徴とする。
【００１３】
請求項７の発明に係る画像処理システムは、請求項１から請求項４の何れかに記載の発明について、前記表示内容設定手段で設定されて分担する表示内容は、前記第１の表示手段または前記第２の表示手段において表示すべき内容の全部または一部を簡略化した表示内容であることを特徴とする。
【００１４】
請求項８の発明に係る画像処理システムは、請求項１から請求項７の何れかに記載の発明について、前記分担する表示内容に関する情報は、前記第１の画像処理装置または前記第２の画像処理装置が備える格納手段に格納されることを特徴とする。
【００１５】
請求項９の発明に係る画像処理システムは、請求項１から請求項７の何れかに記載の発明について、前記分担する表示内容に関する情報は、前記通信手段を介して接続される外部記憶装置に格納されることを特徴とする。
【００１６】
請求項１０の発明に係る画像処理システムは、請求項１から請求項９の何れかに記載の発明について、前記第１の画像処理装置はプリンタ装置で構成され、前記第２の画像処理装置はスキャナ装置で構成されることを特徴とする。
【００１７】
請求項１１の発明に係る表示制御プログラムは、第１の表示手段および第２の表示手段の表示機能に関する情報を取得する取得処理過程と、該取得処理過程による取得結果に応じて前記第１の表示手段および前記第２の表示手段に表示する内容の分担を設定する表示内容設定処理過程と、該表示内容設定処理過程で設定された分担する表示内容に基づいて、前記第１の表示手段および前記第２の表示手段の表示を制御する制御処理過程とを演算手段に実行させることを特徴とする。
【発明の効果】
【００１８】
本発明によれば以下の効果を奏することができる。
【００１９】
すなわち、請求項１に記載の発明によれば、本構成を有していない場合に比較して、設定された分担する表示内容に基づいて第１の表示手段および第２の表示手段の表示を制御するので、システムが有するハードウェア資源を有効的に利用して、表示機能を拡張し、機能性および利便性を向上させることができるという効果がある。
【００２０】
請求項２に記載の発明によれば、本構成を有していない場合に比較して、第１の表示手段および第２の表示手段は、表示機能と共に各装置が有する機能を操作する操作機能を備える操作パネルで構成されるので、ハードウェア資源を有効的に利用して機能性および利便性を向上させることができる。
【００２１】
請求項３に記載の発明によれば、本構成を有していない場合に比較して、表示機能の拡張により適した表示手段の設定を行うことができる。
【００２２】
請求項４に記載の発明によれば、本構成を有していない場合に比較して、表示機能の拡張により適した表示手段の設定を行うことができる。
【００２３】
請求項５に記載の発明によれば、本構成を有していない場合に比較して、ハードウェア資源を有効的に活用して表示機能を拡張し、機能性および利便性を一層向上させることができる。
【００２４】
請求項６に記載の発明によれば、本構成を有していない場合に比較して、ハードウェア資源を有効的に活用して表示機能を拡張し、機能性および利便性を一層向上させることができる。
【００２５】
請求項７に記載の発明によれば、本構成を有していない場合に比較して、ハードウェア資源を有効的に活用して表示機能を拡張し、機能性および利便性を一層向上させることができる。
【００２６】
請求項８に記載の発明によれば、本構成を有していない場合に比較して、ハードウェア資源を有効的に活用して機能性および利便性を一層向上させることができる。
【００２７】
請求項９に記載の発明によれば、本構成を有していない場合に比較して、ハードウェア資源を有効的に活用して機能性および利便性を一層向上させることができる。
【００２８】
請求項１０に記載の発明によれば、本構成を有していない場合に比較して、プリンタ装置またはスキャナ装置のハードウェア資源を有効的に活用して表示機能を拡張し、機能性および利便性を一層向上させることができる。
【００２９】
請求項１１に記載の発明によれば、本構成を有していない場合に比較して、画像処理システムが有するハードウェア資源を有効的に利用して、機能性および利便性を向上させることができるという効果がある。
【発明を実施するための最良の形態】
【００３０】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３１】
図１から図８を参照して、本発明についての実施の形態に係る画像処理システムＳ１について説明する。
【００３２】
図１および図２に示すように、画像処理システムＳ１は、装置自身に関する情報を表示する機能と共に操作する機能を備えたタッチパネル等で構成される第１の操作パネル１００（第１の情報表示手段の一例）を少なくとも備えるプリンタ装置ＰＲ１（第１の画像処理装置の一例）と、装置自身に関する情報を表示する機能と共に操作する機能を備えたタッチパネル等で構成される第２の操作パネル２００（第２の情報表示手段の一例）を少なくとも備え、ＬＡＮ等のネットワークＮ（通信手段の一例）を介して第１の画像処理装置ＰＲ１と接続されるスキャナ装置ＳＣ１（第２の画像処理装置の一例）と、プリンタ装置ＰＲ１またはスキャナ装置ＳＣ１についての分担する表示内容に関する情報を格納するサーバＳＡ（外部記憶装置の一例）と、プリンタ装置ＰＲ１に印刷データや画像データを送信するパーソナルコンピュータあるいはホストコンピュータ等で構成される情報処理装置ＰＣ１とを少なくとも備える。
【００３３】
プリンタ装置ＰＲ１およびスキャナ装置ＳＣ１について、本発明と直接関係しない構成については図示および説明を省略する。
【００３４】
なお、本実施の形態では、プリンタ装置ＰＲ１およびスキャナ装置ＳＣ１は、それぞれ１台がネットワークＮに接続されるが、これに限らず、それぞれ２台以上を接続する場合であってもよい。
【００３５】
また、プリンタ装置ＰＲ１の印刷方式は、特には限定されず、レーザプリンタ、フルカラープリンタ、複合機、インクジェット方式のプリンタ等の何れであってもよい。
【００３６】
また、スキャナ装置ＳＣ１の読み取り方式も特には限定されず、Ｃｈａｒｇｅ  Ｃｏｕｐｌｅｄ  Ｄｅｖｉｃｅｓ（ＣＣＤ）方式、Ｃｏｎｔａｃｔ  Ｉｍａｇｅ  Ｓｅｎｓｏｒ（ＣＩＳ）方式等の何れであってもよい。
【００３７】
また、プリンタ装置ＰＲ１とスキャナ装置ＳＣ１は、ネットワークＮ経由の外に、ローカル線（ＵＳＢインターフェイスを介したＵＳＢケーブル等）Ｃでも接続されているが、本発明においては、少なくとも一方で接続されていれば足りる。
【００３８】
また、特に限定されるものではないが、本実施の形態においては、スキャナ装置ＳＣ１が備える第２の操作パネル２００の方が、プリンタ装置ＰＲ１が備える第１の操作パネル１００よりも表示領域の面積、画素密度、表示色数、解像度等において機能的、性能的に優れているものとする。
【００３９】
なお、第１の操作パネル１００と第２の操作パネル２００の機能あるいは性能の優劣は、表示機能に関する情報として、上記の表示領域の面積、画素密度、表示色数、解像度等の情報を取得して比較してもよいし、或いは装置識別情報、イメージグラフィック情報、表示文字コード情報の少なくとも一つを含む情報に基づいて比較してもよい。
【００４０】
これらの表示機能に関する情報をネットワークＮを介して取得するために、プリンタ装置ＰＲ１およびスキャナ装置ＳＣ１は、取得部１０１、２０１（取得手段の一例）をそれぞれ備えている。
【００４１】
なお、上記の例では、プリンタ装置ＰＲ１およびスキャナ装置ＳＣ１は、表示する機能と共に操作する機能を備えたタッチパネル等を備える場合について述べたが、これに限らず、プリンタ装置ＰＲ１またはスキャナ装置ＳＣ１の一方の表示手段が、ＬＥＤ等のセグメント表示あるいはＬＥＤ等の点灯、点滅による表示のみである場合や、一部の操作をタッチパネル等で行い、その他は押しボタン型の操作キーで行う場合を含む。
【００４２】
また、プリンタ装置ＰＲ１およびスキャナ装置ＳＣ１は、取得部１０１、２０１による取得結果に応じて第１の操作パネル１００または第２の操作パネル２００に表示する内容の分担を設定する表示内容設定部１０２、２０２（表示内容設定手段の一例）をそれぞれ備えている。
【００４３】
また、表示内容設定部１０２、２０２で設定された分担する表示内容に基づいて、第１の操作パネル１００または第２の操作パネル２００の表示を制御するマイクロコンピュータ等で構成される制御部１０４、２０４（制御手段の一例）をそれぞれ備えている。
【００４４】
なお、スキャナ装置ＳＣ１の第２の操作パネル２００は、高機能の表示を行うために、いわゆるＧＵＩ（Ｇｒａｐｈｉｃａｌ  Ｕｓｅｒ  Ｉｎｔｅｒｆａｃｅ）を備えている。
【００４５】
ここで、ＧＵＩとは、ユーザに対する情報の表示にグラフィックを多用し、大半の基礎的な操作をマウスなどのポインティングデバイスによって行なうことができるユーザインターフェイスのことをいう。なお、タッチパネルにおいては、マウス等を要さずに、所望の表示箇所を指やタッチペン（スタイラス）等で押圧することにより操作できるようになっている。
【００４６】
スキャナ装置ＳＣ１の制御部２０４は、プリンタ装置ＰＲ１の制御部１０４と協働して、第１の操作パネル１００および第２の操作パネル２００を用いて、表示内容設定部１０２、２０２で設定された分担する表示内容に基づいた表示を行う。
【００４７】
表示内容設定部１０２、２０２で設定された分担する表示内容は、特には限定されないが、例えば、第１の操作パネル１００または第２の操作パネル２００において表示すべき内容の一部を補完する表示内容としたり、表示すべき内容の全部または一部を代替する表示内容としたり、或いは、表示すべき内容の全部または一部を簡略化した表示内容とすることができる。
【００４８】
分担する表示内容に関する情報（拡張機能変換キー情報のテーブル）については、後述する。
【００４９】
分担する表示内容に関する情報は、プリンタ装置ＰＲ１またはスキャナ装置ＳＣ１が備えるハードディスク装置や不揮発性メモリ等で構成される格納部１０３、２０３（格納手段の一例）、またはネットワークＮを介して接続されるサーバＳＡ（外部記憶手段の一例）に格納されている。
【００５０】
また、スキャナ装置ＳＣ１は、自動原稿送り装置（オートドキュメントフィーダ）２５１にセットされた原稿を原稿読取部２５２で読み取って画像データを得るようになっている。
【００５１】
読み取られた画像データは、画像処理部２５３で出力に適した画像に処理され、通信部２５０を介して情報処理装置ＰＣ１に転送される。
【００５２】
プリンタ装置ＰＲ１は、情報処理装置ＰＣ１より送信された印刷データまたは画像データを通信部１５０から受信し、制御部１０４でビットマップデータに展開し、印刷部１５１によって印刷される。
【００５３】
ここで、スキャナ装置ＳＣ１とプリンタ装置ＰＲ１は、スキャナ装置ＳＣ１の通信部２５４とプリンタ装置ＰＲ１の通信部１５２を接続することでコピーシステム（スキャナプリンタシステム）を構築することができる。
【００５４】
なお、各装置の通信部１５２、２５４は、相互取り決めのプロトコルにより双方向に通信可能であれば、専用のローカルインターフェイスであっても、通信部１５０、２５０と物理的に兼用のインターフェイスであってもよい。
【００５５】
次に、図３の通信シーケンスを参照して、本実施の形態に係る画像処理システムＳ１の動作について説明する。
【００５６】
スキャナ装置ＳＣ１は、通信部２５４経由でプリンタ装置ＰＲ１に対し、接続要求コマンドを発行する。
【００５７】
プリンタ装置ＰＲ１は、接続可能状態である場合には、接続可である旨の応答コマンド（ＯＫ）を返す。
【００５８】
続いてスキャナ装置ＳＣ１はプリンタ装置ＰＲ１に対し、プリンタ情報の送信を要求するコマンドを発行する。
【００５９】
プリンタ情報としては、「製品名」、「カラー印刷の可／不可」、「トレイ構成」、「サポート可能な用紙サイズ／紙質」などの情報が挙げられる。
【００６０】
プリンタ装置ＰＲ１は、要求されたプリンタ情報をスキャナ装置ＳＣ１に送信する。
【００６１】
スキャナ装置ＳＣ１は、取得したプリンタ情報を元に、コピー機能における用紙サイズやトレイの選択肢を決定する。
【００６２】
続いて、スキャナ装置ＳＣ１は、プリンタ装置ＰＲ１に対し、操作パネル情報の通知を要求する。
【００６３】
ここで、図４にスキャナ装置ＳＣ１の第２の操作パネル２００の構成例を示す。
【００６４】
第２の操作パネル２００は、装置の状態や設定内容を表示するための液晶画面３０１と、各種動作の実行を指示するためのスタートキー３０２と、設定の解除や各種処理の中止指示を行うためのクリアキー３０３と、選択的な操作を行うための矢印キー３０４と、部数等の数値情報を入力するためのテンキー３０５と、メニュー操作を行うためのメニューキー３０６などから構成される。
【００６５】
また、図５にプリンタ装置ＰＲ１の第１の操作パネル１００の構成例を示す。
【００６６】
第１の操作パネル１００は、装置の状態や設定内容を表示するための液晶画面４０１と、設定の解除や各種処理の中止指示を行うためのクリアキー４０２と、操作の決定を行う決定キー４０３と、操作項目の選択等を行う矢印キー４０４と、メニュー操作を行うためのメニューキー４０５と、数値等のアップダウンを行うアップダウンキー４０６などから構成される。
【００６７】
なお、本実施の形態では、スキャナ装置ＳＣ１の第２の操作パネル２００は、プリンタ装置ＰＲ１の第１の操作パネル１００の機能を全て包含するものとする。
【００６８】
これにより、機器が相互接続された場合のシステムＳ１全体の操作は、スキャナ装置ＳＣ１の第２の操作パネル２００で行うモードに移行される。
【００６９】
そして、プリンタ装置ＰＲ１は、スキャナ装置ＳＣ１から要求された操作パネル情報を通知する。
【００７０】
この際に、プリンタ装置ＰＲ１に通知するパネル情報は、例えば操作キー種別、個数、配置などである。
【００７１】
プリンタ装置ＰＲ１の第１の操作パネル１００の操作パネル情報の例を図６に示す。
【００７２】
図６に示す例では、キーＩＤ、キー名称、配置情報１、配置情報２が格納されている。
【００７３】
例えば、キーＩＤ：００１については、キー名称：ＭＥＮＵ、配置情報１：独立、配置情報２：なし、となっている。
【００７４】
また、キーＩＤ：００２については、キー名称：ＵＰ、配置情報１：キーＩＤ００３とペア、配置情報２：キーＩＤ００４，００５とペア、となっている。
【００７５】
そして、スキャナ装置ＳＣ１は、取得したプリンタ装置ＰＲ１の第１の操作パネル１００のキー情報に基づいて、予め設定されている「拡張機能変換キー情報」テーブル（図７）中で利用可能な拡張機能を抽出するようになっている。
【００７６】
なお、図７においては、太線で囲んだ範囲、即ち、拡張ＩＤ：００１〜００５および００８の範囲で利用可能となることを意味している。
【００７７】
ここで、拡張機能ＩＤ：００１は、拡張機能名称：液晶輝度調節、使用キー：ＵＰ，ＤＯＷＮまたはＬＥＦＴ，ＲＩＧＨＴ、拡張機能ＩＤ：００２は、拡張機能名称：液晶表示位置調整、使用キー：ＵＰ，ＤＯＷＮ，ＬＥＦＴ，ＲＩＧＨＴ、拡張機能ＩＤ：００３は、拡張機能名称：操作音ボリューム調節、使用キー：ＵＰ，ＤＯＷＮまたはＬＥＦＴ，ＲＩＧＨＴ、拡張機能ＩＤ：００４は、拡張機能名称：コピー濃度調整、使用キー：ＵＰ，ＤＯＷＮまたはＬＥＦＴ，ＲＩＧＨＴ、拡張機能ＩＤ：００５は、拡張機能名称：プリントメニュー起動、使用キー：ＭＥＮＵ、拡張機能ＩＤ：００６は、拡張機能名称：プリンタ節電、使用キー：ＰＯＷＥＳＡＶＥ、拡張機能ＩＤ：００７は、拡張機能名称：プリント部数設定、使用キー：ＴＥＮ  ＫＥＹ、拡張機能ＩＤ：００８は、拡張機能名称：印字レジ調整、使用キー：ＵＰ，ＤＯＷＮ，ＬＥＦＴ，ＲＩＧＨＴなどとなっている。
【００７８】
なお、抽出された機能のうち組み合わせ可能な機能は、第２の操作パネル２００上でユーザ選択可能、または自動的に決定されるものとする。
【００７９】
自動的決定については、固定的な優先度に基づいて決定する方法や、過去の操作履歴から操作頻度の高いメニューを優先的に割り当てる方法などが考えられる。
【００８０】
拡張操作機能確定後、スキャナ装置ＳＣ１は、決定した機能に必要となる第１の操作パネル１００上のキー情報をプリンタ装置ＰＲ１に通知する。
【００８１】
以降、プリンタ装置ＰＲ１は通知されたキー入力（押下）がなされる度に、スキャナ装置ＳＣ１にキー入力（押下）イベントをコマンドとして通知する。
【００８２】
これにより、画像処理システムＳ１が有するハードウェア資源を有効的に利用して、表示機能を拡張し、機能性および利便性が向上される。
【００８３】
次に、図８を参照して、操作音ボリューム調節機能の表示例について説明する。
【００８４】
拡張操作機能確定後に、スキャナ装置ＳＣ１は、決定した機能に必要となる第１の操作パネル１００上のキー情報と共に、第１の操作パネル１００上の液晶画面に表示する文字列をプリンタ装置ＰＲ１に通知する。
【００８５】
図８では、拡張操作機能として操作音ボリューム調節機能をＬＥＦＴ／ＲＩＧＨＴキーのペアで実現する場合を示している。
【００８６】
これにより、スキャナ装置ＳＣ１の第２の操作パネル２００で行っていた表示の一部を、プリンタ装置ＰＲ１側の第１の操作パネル１００に代替表示させることができ、第２の操作パネル２００における表示処理を軽減することができ、また、第２の操作パネル２００を用いて他の表示（例えば、操作ガイドを表示するなど）を行うようにして利便性が向上される。
【００８７】
また、拡張操作機能確定後に、スキャナ装置ＳＣ１は、決定した機能に必要となる第１の操作パネル１００上のキー情報と共に、第１の操作パネル１００上の貼付け可能なラベル印字データをプリンタ装置ＰＲ１に送信することも考えられる。
【００８８】
この場合には、プリンタ装置ＰＲ１にラベル紙を補給することにより、機能名称のラベルが印字される。
【００８９】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００９０】
また、プログラムを用いる場合には、ネットワークを介して提供し、或いはＣＤ−ＲＯＭ等の記録媒体に格納して提供することが可能である。
【００９１】
即ち、画像処理プログラムを含む所定のプログラムを記録媒体としてのハードディスク等の記憶装置に記録する場合に限らず、当該所定のプログラムを次のようにして提供することも可能である。
【００９２】
例えば、所定のプログラムをＲＯＭに格納しておき、ＣＰＵが、この所定のプログラムをこのＲＯＭから主記憶装置へローディングして実行するようにしてもよい。
【００９３】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【００９４】
さらには、画像処理装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【００９５】
本発明による画像処理システムおよび表示制御プログラムは、複写装置、レーザプリンタ、フルカラープリンタ、複合機、ファクシミリ装置等に適用することができる。
【図面の簡単な説明】
【００９６】
【図１】実施の形態に係る画像処理システムＳ１の構成を示す概略構成図である。
【図２】実施の形態に係る画像処理システムＳ１の機能構成を示す機能ブロックである。
【図３】画像処理システムＳ１における通信シーケンス図である。
【図４】スキャナ装置ＳＣ１の第２の操作パネル２００の構成例を示す説明図である。
【図５】プリンタ装置ＰＲ１の第１の操作パネル１００の構成例を示す説明図である。
【図６】プリンタ装置ＰＲ１の操作パネル情報の例を示す表である。
【図７】拡張機能変換キー情報テーブルの例を示す説明図である。
【図８】操作音ボリューム調整機能の表示例を示す説明図である。
【符号の説明】
【００９７】
Ｓ１  画像処理システム
ＰＣ１  情報処理装置
ＳＡ  サーバ
Ｎ  ネットワーク
Ｃ  ケーブル
ＰＲ１  プリンタ装置
１００  第１の操作パネル
１０１  取得部
１０２  表示内容設定部
１０３  格納部
１０４  制御部
１５０  通信部
１５１  印刷部
１５２  通信部
ＳＣ１  スキャナ装置
２００  第２の操作パネル
２０１  取得部
２０２  表示内容設定部
２０３  設定部
２０４  制御部
２５０  通信部
２５２  原稿読取部
２５３  画像処理部
２５４  通信部
３０１  液晶画面
３０２  スタートキー
３０３  クリアキー
３０４  矢印キー
３０５  テンキー
３０６  メニューキー
４０１  液晶画面
４０２  クリアキー
４０３  決定キー
４０４  矢印キー
４０５  メニューキー
【図１】
2010199807.tif 000003
【図２】
2010199807.tif 000004
【図３】
2010199807.tif 000005
【図４】
2010199807.tif 000006
【図５】
2010199807.tif 000007
【図６】
2010199807.tif 000008
【図７】
2010199807.tif 000009
【図８】
2010199807.tif 000010